(57)【特許請求の範囲】
【請求項１】
少なくとも１つのイヤホンと、マイクロホンと、複数の接点を有するコネクタを含む音声プラグと、前記マイクロホンおよび前記少なくとも１つのイヤホンを前記音声プラグの対応する接点に連結しているヘッドセットケーブルと、を備えるヘッドセットであって、
前記ヘッドセットケーブルは、接地線と、マイクロホン線と、少なくとも１本の音声線と、前記接地線、前記マイクロホン線および前記少なくとも１本の音声線に連結されている前記接点のうちの１つに、直流阻止デバイスを介して連結されているテレビ放送信号受信用アンテナとを含み、
前記テレビ放送信号受信用アンテナを連結している前記接点のうちの１つがさらに前記テレビ放送信号および音声放送信号を提供するために無線周波数接点として機能し、
無線周波数接点として機能しない前記接点は、直流阻止デバイスに接続されていない、ヘッドセット。
【請求項２】
前記テレビ放送信号受信用アンテナは、前記ヘッドセットケーブル内に配設されている導体を備えており、前記導体は前記接地線、前記マイクロホン線および前記少なくとも１本の音声線の少なくとも一部を囲んでいることを特徴とする、請求項１に記載のヘッドセット。
【請求項３】
前記テレビ放送信号受信用アンテナは、テレビ放送用の周波数帯内のある周波数で四分の一波長以上の長さを有することを特徴とする、請求項２に記載のヘッドセット。
【請求項４】
前記マイクロホン線および少なくとも１本の音声線のうちの１本は音声放送信号受信用アンテナとして機能し、前記音声放送信号受信用アンテナは前記無線周波数接点に連結されていることを特徴とする、請求項３に記載のヘッドセット。
【請求項５】
前記導体はさらに前記音声放送信号受信用アンテナとして機能し、前記無線周波数接点は前記マイクロホン線および少なくとも１本の音声線に連結されている前記対応する接点のうちの１つであることを特徴とする、請求項２に記載のヘッドセット。
【請求項６】
前記テレビ放送信号受信用アンテナは、テレビ放送用の周波数帯内のある周波数で１波長以上の長さを有することを特徴とする、請求項５に記載のヘッドセット。
【請求項７】
複数のチョークをさらに備えており、前記接地線、前記マイクロホン線および前記少なくとも１本の音声線に連結されている前記対応する接点が、前記それぞれのチョークに連結されていることを特徴とする、請求項５に記載のヘッドセット。
【請求項８】
前記少なくとも１本の音声線は、前記少なくとも１つのイヤホンごとにチャンネル線と戻り線とを含み、前記戻り線は前記チョークの１つを介して前記接地線に連結されている前記接点の前記１つに連結されていることを特徴とする、請求項７に記載のヘッドセット。
【請求項９】
前記直流阻止デバイスは、前記導体と前記無線周波数接点との間に連結されていることを特徴とする、請求項７に記載のヘッドセット。
【請求項１０】
前記チョークおよび前記直流阻止デバイスは、前記音声プラグ内に配設されていることを特徴とする、請求項９に記載のヘッドセット。
【請求項１１】
前記テレビ放送信号受信用アンテナは、導体と前記導体に連結されている伝送線とを備えており、前記伝送線は前記接地線、前記マイクロホン線および前記少なくとも１本の音声線とは分離していることを特徴とする、請求項１に記載のヘッドセット。
【請求項１２】
前記導体はメアンダアンテナであり、前記伝送線は前記導体とのインピーダンス整合用であることを特徴とする、請求項１１に記載のヘッドセット。
【請求項１３】
前記直流阻止デバイスは、前記伝送線と前記無線周波数接点との間に連結されていることを特徴とする、請求項１１に記載のヘッドセット。
【請求項１４】
前記マイクロホン線および少なくとも１本の音声線のうちの１本が前記音声放送信号受信用アンテナとして機能し、前記音声放送信号受信用アンテナは前記無線周波数接点に連結されていることを特徴とする、請求項１３に記載のヘッドセット。
【請求項１５】
（ａ）複数の端子を有しており、前記端子のうちの１つがテレビ放送信号および音声放送信号用の無線周波数端子として機能する、音声ジャックと、
（ｂ）複数の誘導デバイスと、
（ｃ）前記誘導デバイスを介して前記音声ジャックの前記端子に連結されている音声処理ユニットと、
（ｄ）前記音声放送信号を受信するために、前記無線周波数端子に連結されているラジオチューナと、
（ｅ）前記テレビ放送信号を受信するために、前記無線周波数端子に連結されているデジタルテレビチューナと、を備え、
テレビ放送信号受信用アンテナが、直流阻止デバイスを介して、前記無線周波数端子として機能する端子に接続されるとともに、無線周波数接点として機能しない接点は、直流阻止デバイスに接続されていない、携帯機器の回路構造。
【請求項１６】
アナログ回路をさらに備えており、前記アナログ回路を介して前記デジタルテレビチューナおよび前記ラジオチューナは前記無線周波数端子に連結されており、前記アナログ回路は前記ラジオチューナが前記音声放送信号を受信できるようにするためのフィルタを備えていることを特徴とする、請求項１５に記載の携帯機器の回路構造。
【請求項１７】
前記アナログ回路は、前記デジタルテレビチューナ用のインピーダンス整合回路をさらに備えていることを特徴とする、請求項１６に記載の携帯機器の回路構造。
【請求項１８】
アナログ回路をさらに備えており、前記アナログ回路を介して前記デジタルテレビチューナおよび前記ラジオチューナは前記無線周波数端子に連結されており、前記アナログ回路は、前記無線周波数端子、前記デジタルテレビチューナおよび前記ラジオチューナに連結されている無線周波数スイッチを備えていることを特徴とする、請求項１５に記載の携帯機器の回路構造。
【請求項１９】
前記アナログ回路は前記デジタルテレビチューナ用のインピーダンス整合回路をさらに備えていることを特徴とする、請求項１８に記載の携帯機器の回路構造。
【請求項２０】
前記テレビ放送信号受信用アンテナと、前記アンテナに連結されている無線周波数接点とを有するヘッドセットをさらに備えており、前記テレビ放送信号受信用アンテナは前記ヘッドセット内に配設され、前記ヘッドセットを前記音声ジャックに差し込むと、前記ヘッドセットの前記無線周波数接点が前記無線周波数端子に連結して、前記携帯機器の前記回路構造に前記テレビ放送信号および前記音声放送信号を提供することを特徴とする、請求項１５に記載の携帯機器の回路構造。
【請求項２１】
（ａ）複数の端子を有しており、前記端子のうちの１つがテレビ放送信号および音声放送信号用の無線周波数端子として機能する、音声ジャックと、
（ｂ）複数の誘導デバイスと、
（ｃ）前記誘導デバイスを介して前記音声ジャックの前記端子に連結されている音声処理ユニットと、
（ｄ）前記音声放送信号を受信するために、前記無線周波数端子に連結されているラジオチューナと、
（ｅ）前記テレビ放送信号を受信するために、前記無線周波数端子に連結されているデジタルテレビチューナと、
（ｆ）ディスプレイユニットと、
（ｇ）テレビ表示の要求に応答して、前記デジタルテレビチューナが前記ディスプレイユニットにテレビを表示するように前記テレビ放送信号を受信できるようにする処理ユニットと、を備え、
テレビ放送信号受信用アンテナが、直流阻止デバイスを介して、前記無線周波数端子として機能する端子に接続されるとともに、無線周波数接点として機能しない接点は、直流阻止デバイスに接続されていない、携帯機器。
【請求項２２】
アナログ回路をさらに備えており、前記アナログ回路を介して前記デジタルテレビチューナおよび前記ラジオチューナは前記無線周波数端子に連結されており、前記アナログ回路は前記ラジオチューナが前記音声放送信号を受信できるようにするためのフィルタを備えていることを特徴とする、請求項２１に記載の携帯機器。
【請求項２３】
前記アナログ回路は、前記デジタルテレビチューナ用のインピーダンス整合回路をさらに備えていることを特徴とする、請求項２２に記載の携帯機器。
【請求項２４】
アナログ回路をさらに備えており、前記アナログ回路を介して前記デジタルテレビチューナおよび前記ラジオチューナは前記無線周波数端子に連結されており、前記アナログ回路は前記無線周波数端子、前記デジタルテレビチューナおよび前記ラジオチューナに連結されている無線周波数スイッチを備え、前記処理ユニットは、テレビ表示の要求に応答して、さらに前記無線周波数スイッチが前記ディスプレイユニットにテレビを表示するように前記テレビ放送信号を前記デジタルテレビチューナに出力できるようにすることを特徴とする、請求項２１に記載の携帯機器。
【請求項２５】
前記アナログ回路は、前記デジタルテレビチューナ用のインピーダンス整合回路をさらに備えていることを特徴とする、請求項２４に記載の携帯機器。
【請求項２６】
前記テレビ放送信号受信用アンテナと、前記アンテナに連結されている無線周波数接点とを有するヘッドセットをさらに備えており、前記テレビ放送信号受信用アンテナは前記ヘッドセット内に配設され、前記ヘッドセットを前記携帯機器の前記音声ジャックに差し込むと、前記ヘッドセットの前記無線周波数接点が前記携帯機器の前記無線周波数端子に連結して、前記携帯機器に前記テレビ放送信号および前記音声放送信号を提供することを特徴とする、請求項２１に記載の携帯機器。
【請求項２７】
少なくとも１つのイヤホンと、マイクロホンと、複数の接点を有するコネクタを含む音声プラグと、前記マイクロホンおよび前記少なくとも１つのイヤホンを前記音声プラグの対応する接点に連結しているヘッドセットケーブルと、を備えるヘッドセットであって、
前記ヘッドセットケーブルは、接地線と、マイクロホン線と、少なくとも１本の音声線と、前記接地線、前記マイクロホン線および前記少なくとも１本の音声線に連結されている前記接点のうちの１つに連結されているテレビ放送信号受信用アンテナとを含み、
前記テレビ放送信号受信用アンテナを連結している前記接点のうちの１つがさらに前記テレビ放送信号および音声放送信号を提供するために無線周波数接点として機能し、
前記テレビ放送信号受信用アンテナは、導体と、該導体に連結されている伝送線とを備えており、前記伝送線は、前記接地線、前記マイクロホン線及び前記少なくとも１本の音声線とは分離している、ヘッドセット。
【請求項２８】
前記導体はメアンダアンテナであり、前記伝送線は前記導体とのインピーダンス整合をとるためのものである、請求項２７に記載のヘッドセット。
【請求項２９】
前記伝送線と前記無線周波数接点との間に連結されている直流阻止デバイスをさらに含む、請求項２７に記載のヘッドセット。
【請求項３０】
前記マイクロホン線及び前記少なくとも１本の音声線のうちの何れか１つは前記音声放送信号受信用アンテナとして機能し、前記音声放送信号受信用アンテナは無線周波数接点に連結されている、請求項２９に記載のヘッドセット。
【発明の詳細な説明】
【技術分野】
【０００１】
本発明は、ヘッドセットケーブル、ヘッドセット、携帯デバイスの回路構造、および携帯機器に関するものである。
【背景技術】
【０００２】
テレビ放送受信機能付きの電子機器は従来入れ子式アンテナを備えており、テレビを視聴しようとするときには引き伸ばす必要がある。携帯デバイス、例えば携帯電話またはマルチメディアプレーヤの場合、このようなアプローチは携帯デバイスの組立および製造には便利であるかもしれない。
【発明の概要】
【発明が解決しようとする課題】
【０００３】
しかし、携帯デバイスの外観デザインおよび回路は入れ子式アンテナによって制約を受けるだろう。
本発明は、アンテナの制約を受けないヘッドセットケーブル、ヘッドセット、携帯デバイスの回路構造および携帯機器に向けられる。
【課題を解決するための手段】
【０００４】
本発明のある局面によると、ヘッドセットケーブルが提供される。ヘッドセットケーブルはテレビ信号受信用アンテナと、複数の音声線とを含む。
別の局面によると、ヘッドセットが提供される。ヘッドセットはヘッドセットケーブルと音声プラグとを含む。ヘッドセットケーブルはテレビ信号受信用アンテナと複数の音声線とを含む。
【０００５】
さらに別の局面では、ヘッドセットは少なくとも１つのイヤホンと、マイクロホンと、音声プラグと、ヘッドセットケーブルとを含む。音声プラグは複数の接点を有するコネクタを含む。マイクロホンおよび少なくとも１つのイヤホンは、ヘッドセットケーブルを介して音声プラグの対応する接点に連結されている。ヘッドセットケーブルは接地線と、マイクロホン線と、少なくとも１本の音声線と、テレビ放送信号受信用アンテナとを含む。テレビ放送信号受信用アンテナは、接地線、マイクロホン線および少なくとも１本の音声線に連結されている接点のうちの１つに連結されている。テレビ放送信号受信用アンテナが連結されている接点のうちの１つはさらに、テレビ放送信号および音声放送信号を提供する無線周波数接点としても機能する。
【０００６】
本発明の別の局面によると、携帯デバイスの回路構造が提供される。回路構造は放送受信ユニットと音声ジャックから延びている複数の信号パスとを含む。ある実施形態では、携帯機器の回路構造は音声ジャックと、複数の誘導デバイスと、音声処理ユニットと、ラジオチューナと、デジタルテレビチューナとを含む。音声ジャックは接地端子と、マイクロホン線および少なくとも１本の音声線用の複数の信号端子とを含んでおり、信号端子のうちの１つはさらにテレビ放送信号および音声放送信号用の無線周波数端子としても機能する。音声処理ユニットは誘導デバイスを介して音声ジャックの信号端子に連結されている。ラジオチューナは音声放送信号を受信するために無線周波数端子に連結されている。デジタルテレビチューナはテレビ放送信号を受信するために無線周波数端子に連結されている。
【０００７】
本発明の別の局面によると、携帯機器が提供される。携帯機器は回路構造と、音声ジャックとを含む。携帯機器は、音声ジャックと、複数の誘導デバイスと、音声処理ユニットと、ラジオチューナと、デジタルテレビチューナと、ディスプレイユニットと、処理ユニットとを含む。音声ジャックは接地端子と、マイクロホン線および少なくとも１本の音声線用の複数の信号端子とを含んでおり、信号端子のうちの１つはさらにテレビ放送信号および音声放送信号用の無線周波数端子としても機能する。音声処理ユニットは誘導デバイスを介して音声ジャックの信号端子に連結されている。ラジオチューナは音声放送信号を受信するために無線周波数端子に連結されている。デジタルテレビチューナはテレビ放送信号を受信するために無線周波数端子に連結されている。処理ユニットは、テレビ表示の要求に応答して、デジタルテレビチューナが、テレビをディスプレイユニットに表示するためにテレビ放送信号を受信できるようにする。
【図面の簡単な説明】
【０００８】
【図１】本発明の実施形態によるヘッドセットが差し込まれている状態の携帯機器を示す図である。
【図２】ヘッドセットが携帯機器の音声プラグに差し込まれている状態を図示するブロック図である。
【図３Ａ】別のヘッドセットが携帯機器の音声プラグに差し込まれている状態を図示するブロック図である。
【図３Ｂ】図３Ａの線Ａ１−Ａ１に沿って切断したヘッドセットケーブル２５Ｂの断面図の実施例を示す。
【図４】図３Ａに図示するヘッドセットが別の回路構造を備える携帯機器の音声プラグに差し込まれている状態を図示するブロック図である。
【図５Ａ】別のヘッドセットが図３Ａに図示する携帯機器の音声プラグに差し込まれている状態を図示するブロック図である。
【図５Ｂ】図５Ａの線Ａ２−Ａ２に沿って切断したヘッドセットケーブル２５Ｃの断面図の実施例を示す。
【図６】ある実施形態による携帯機器を示す図である。
【発明を実施するための形態】
【０００９】
以下の詳細な説明において、説明のために、本発明の実施形態を完全に理解できるように多数の特定の細部を記載する。しかし、１または複数の実施形態はこれら特定の細部にかかわらず実施できることは明らかであろう。他の場合には、周知の構造およびデバイスは図面を簡略化するために模式的に示している。
図１は、ある実施形態によりヘッドセットが差し込まれた状態の携帯機器を図示している。図１では、携帯機器１は、あらゆる携帯コンピューティング機器、例えば、携帯電話、スマートフォン、タブレット、マルチメディアプレーヤ、ゲーム機などとして具体化できる。携帯機器１はラジオ（例、ＦＭラジオ）およびテレビ放送信号（例、ワンセグ、ＤＶＢ−Ｈまたはあらゆる携帯ＴＶ規格などのデジタルＴＶ放送方式）を受信する機能を有し、音声および／または映像を再生する。
【００１０】
図１のヘッドセット２はラジオおよびテレビ放送信号を受信するとともに、普通のヘッドセットとして機能するためのアンテナ機器として機能する。ヘッドセット２はヘッドセットケーブル２５と、音声プラグ２３と、イヤホン２７１および２７２とを含む。以下の実施形態で説明するように、ヘッドセット２、例えばヘッドセットケーブル２５は、例えばワンセグ、またはデジタル・ビデオ・ブロードキャスティング（ＤＶＨ）（例、ＤＶＨ−Ｈ）規格などのデジタルテレビ用のテレビ放送信号を受信するためのアンテナ構造を含む。さらに、ヘッドセット２、例えばヘッドセットケーブル２５は、例えばＦＭラジオ用のラジオ放送信号を受信するためにアンテナとしても機能する。
【００１１】
携帯機器１は、放送受信ユニットを備えるラジオおよびテレビ放送信号受信用の回路構造１３を含む。携帯電話またはスマートフォンとしての実施例では、携帯機器１は、処理ユニット（例、シングルコアプロセッサ、マルチコアプロセッサ、またはシステムオンチップ）、ディスプレイユニット（例、ＬＣＤ、ＯＬＥＤなど、または接触感知機能付きディスプレイ機器）、記憶ユニット、および通信ユニット（例、２Ｇ，３Ｇ，３．５Ｇ，４Ｇ，ＷｉＦｉ，ＧＰＳなどの通信規格のうちの１つまたは複数のサポート）など、意図する実施態様のための複数の機器またはコンポーネントも含んでもよい。いくつかの実施例では、処理ユニットは、携帯機器１が受信した放送信号（例、ラジオまたはＴＶ）を再生できるように放送受信ユニットをイネーブルまたは制御してもよい。
【００１２】
図１に図示するように、回路構造１３は、携帯機器１の音声ジャック１１（つまり、雌型コネクタ）を介して、ヘッドセット２の音声プラグ２３の雄型コネクタ２１に電気連結されている。このような接続で、携帯機器１はヘッドセット２をテレビアンテナおよびラジオアンテナとしても機能させる。したがって、ヘッドセット２は携帯機器１の外観デザインおよび回路設計の柔軟性をもたらす。加えて、アンテナとして機能するヘッドセット２を用いて携帯機器１をテレビを視聴するために使用できる便利さは、ユーザ体験を一層高める。
【００１３】
いくつかの実施形態では、ヘッドセット２は少なくともイヤホンと、マイクロホンと、複数の接点を有するコネクタを含む音声プラグと、ヘッドセットケーブルとを含んでもよく、マイクロホンおよび少なくとも１つのイヤホンはヘッドセットケーブルを介して音声プラグの対応する接点に連結されている。ヘッドセットケーブルは接地線と、マイクロホン線と、少なくとも１本の音声線と、テレビ放送信号受信用アンテナとを含む。テレビ放送信号受信用アンテナは、接地線、マイクロホン線および少なくとも１本の音声線に連結されている接点のうちの１つに連結されている。テレビ放送信号受信用アンテナが連結されている接点のうちの１つは、さらにテレビ放送信号（例、デジタルテレビ放送）および音声放送信号（例、ＦＭラジオ放送またはデジタル音声放送）を提供するために無線周波数接点としても機能する。
【００１４】
携帯機器１のヘッドセット２および回路構造１３の構造の様々な実施形態を以下に記載する。
〈実施形態１〉
図２は、ヘッドセットを携帯機器の音声ジャックに差し込んでいる状態を図示するブロック図を示す。図２では、ヘッドセット２Ａはヘッドセットケーブル２５Ａと、音声プラグ２３Ａと、イヤホン２７１および２７２とを含む。様々な実施態様のために、ヘッドセット２Ａには任意で１つのマイクロホン２７３（または左右のチャンネル用に２つ）も含むことができる。
【００１５】
音声プラグ２３Ａは、複数の接点を含む雄型コネクタ２１Ａを有する。音声ジャック１１の導体を介して、音声ジャック１１から雄型コネクタ２１Ａの接点に対応するいくつかの信号パス、例えば、ＭＩＣ（つまり、マイクロホン）、ＧＮＤ（つまり、接地）、音声Ｌ（つまり、音声左チャンネル）、および音声Ｒ（つまり、音声右チャンネル）用の各パスが延びていてもよい。信号パスは対応する機能のためにいくつかのデバイスまたはコンポーネントに接続されている。例えば、ＧＮＤパスは大地に接続されている。ＭＩＣパス、音声Ｌパスおよび音声Ｒパスは、例えば、携帯機器１の音声処理ユニットまたはマルチメディアチップセットに接続されている。
【００１６】
さらに、信号パスのうちの少なくとも１本は、加えて、放送受信ユニットを備えるラジオおよびテレビ放送信号受信用に利用することができる。図２では、ＧＮＤパスが利用されて、ラジオチューナ１３１（例、ＦＭチューナ）およびデジタルテレビチューナ１３３（例、ワンセグチューナ）を含む放送受信ユニットに連結されている。
図２の回路構造１３Ａに関し、ヘッドセット２Ａのヘッドセットケーブル２５Ａは、それに応じて、デジタルテレビアンテナ（例、ワンセグ用）としての導体２５１Ａを含んでおり、導体２５１Ａは、少なくとも１つの回路素子２５２、例えばコンデンサなどのＤＣ（直流）阻止デバイスを介して、雄型コネクタ２１ＡのＧＮＤ用接点に連結されている。加えて、ヘッドセットケーブル２５Ａはラジオアンテナ（例、ＦＭラジオ用）としてＧＮＤ線も含む。
【００１７】
図２では、導体２５１ＡはＧＮＤ線、音声線およびＭＩＣ線の一部も囲んでいる。導体２５１Ａはテレビ放送信号用周波数の１／４波長以下の長さ、例えば、ワンセグ用の極超短波（ＵＨＦ）帯内の４７０ＭＨｚ〜８７０ＭＨｚのλ／４の長さを有する。例えば、ワンセグ用のＵＨＦのλ／４の長さ、導体２５１Ａは約１５０ｍｍの長さを有する。
この実施形態では、回路構造１３Ａは、ともにＧＮＤパスに連結されているラジオチューナ１３１およびデジタルテレビチューナ１３３を含む。ＦＭラジオ信号を取得するために、ラジオチューナ１３１はフィルタ１３５（例、バンドパスフィルタ）を介してＧＮＤパスに接続されている。デジタルテレビチューナ１３３は、整合回路１３７、例えばＬＣ回路を介してＧＮＤパスに接続されている。
【００１８】
ヘッドセット２Ａの構成に関し、回路構造１３Ａは複数の誘導性コンポーネント、例えば、チョークＣＫ１，ＣＫ２，ＣＫ３およびＣＫ４などのチョークコイルを含む。ＲＦ信号（ＦＭまたはワンセグ）について、チョークＣＫ１は大地に接続されて、ＲＦ信号を分離（または阻止）する。そのため、ＧＮＤパスは、放送受信ユニットから見ると開である。しかし、音声信号（ＤＣ）については、チョークＣＫ１は短絡していると見なされて、チョークＣＫ１は小さな抵抗（５０〜１００ｍオーム）をもつ。したがって、ＧＮＤは純粋に接地されているのではなく、電圧降下を誘導することがある。これはＬ／Ｒチャンネルの漏話問題につながるおそれがある。
【００１９】
図２に図示する実施形態の変形実施態様では、導体２５１Ａは、ＧＮＤ用接点でなく、雄型コネクタ２１Ａの接点（例、ＭＩＣ、左もしくは右音声チャンネル、または両音声チャンネル用の接点）に連結されていてもよい。加えて、ＧＮＤ線ではなく、ＭＩＣ線および音声線のうちの１本を、音声放送信号受信用アンテナとして利用することができる。これに従い、回路構造１３Ａのラジオチューナ１３１およびデジタルテレビチューナ１３３はともに、ＧＮＤパスではなく、信号パス（例、ＭＩＣパスまたは音声パス）に連結されることになる。このように、回路構造１３ＡのＧＮＤパスをチョークＣＫ１に接続する必要がないので、ＧＮＤは純粋な大地電位にすることができる。上記Ｌ／Ｒチャンネルの漏話問題は軽減または解決できる。
〈実施形態２〉
図３Ａは、ある実施形態により別のヘッドセットを携帯機器の音声プラグに差し込んでいる状態を図示するブロック図を示す。図３Ａでは、ヘッドセット２Ｂはヘッドセットケーブル２５Ｂと、音声プラグ２３Ｂとを含む。図２のヘッドセット２Ａと比較すると、図３Ａのヘッドセット２Ｂは、音声プラグ２３Ｂの雄型コネクタ２１ＢのＬ−ＣＨ線用接点に連結されている導体２５１Ｂをテレビアンテナ（例、ワンセグ用）およびラジオアンテナ（例、ＦＭ用）として利用しているという異なる構成を有する。すなわち、Ｌ−ＣＨ線用接点は無線周波数接点として機能する。
【００２０】
導体２５１Ｂは、コンデンサなどの直流阻止デバイス２３１Ｂを介して、Ｌ−ＣＨ線用接点に連結されている。加えて、マイクロホン２７３ならびにイヤホン２７１および２７２用のヘッドセットケーブル２５Ｂの他のチャンネル線の各々は、対応するチョーク２３２Ｂを介して対応するチャンネル線用の接点に連結されている。
さらに、イヤホン２７１および２７２用の接地接続は共通モード構成である。すなわち、「Ｌ−」および「Ｒ−」で表示される２本の線はそれぞれの信号パスを有し、それぞれの対応するチョーク２３２Ｂを介してＧＮＤ用接点に連結されている。これにより、共通インピーダンスを軽減または回避する。ある実施例では、チョーク２３２Ｂおよび直流阻止デバイスは、音声プラグ２３Ｂ内に配設されていてもよい。
【００２１】
図３Ａでは、導体２５１ＢはＧＮＤ線、音声線およびＭＩＣ線の一部も囲んでいる。図３Ｂは、図３Ａの線Ａ１−Ａ１に沿って切断したヘッドセットケーブル２５Ｂの断面図であり、テレビアンテナの幅の範囲内に、ヘッドセットケーブル２５ＢのＧＮＤ線、音声線およびＭＩＣ線が、ヘッドセットケーブル２５Ｂ内に配設されている導体２５１Ｂによって囲まれている状態を図示している。導体２５１Ｂは、テレビ放送受信用ＵＨＦ帯内のある周波数で１波長λと等しいか、もしくはそれより大きい、つまり１波長λ以上の長さを有してもよい。例えば、導体２５１Ｂはワンセグ用のＵＨＦの１波長λよりも大きい長さ、約７５０ｍｍを有する。このように、導体２５１Ｂは、テレビ放送信号受信用アンテナおよび音声放送信号受信用アンテナの両方として機能するのに十分な長さを有する。加えて、ＧＮＤ線、音声線およびＭＩＣ線は、テレビアンテナの幅、つまり導体２５１Ｂよりも長くしてもよい。
【００２２】
ヘッドセット２Ｂのこの構造において、例えばワンセグまたは中国モバイル・マルチメディア放送方式（ＣＭＭＢ）に準拠するアンテナである導体２５１Ｂは、ヘッドセットケーブル２５Ｂの他の線を囲む外部導体であり、Ｌ−ＣＨ線に連結されている。
ヘッドセット２Ｂの構成に関し、図３Ａの回路構造１３Ｂは、それに応じてＬ−ＣＨ信号パスに連結されている放送受信ユニットを有する。したがって、ヘッドセット２Ｂが音声ジャック１１に差し込まれると、導体２５１Ｂはデジタルテレビ受信チューナ１３３、例えばワンセグ／ＣＭＭＢチューナに連結される。加えて、回路構造１３ＢのＬ−ＣＨ信号パスはラジオチューナ１３１にも連結されている。したがって、ＲＦを阻止するためにＧＮＤパスにＲＦチョークを使用する必要がない。このように、図３Ａに図示するように、ＧＮＤ信号パスはチョークを備えていない。ＧＮＤ信号パスを使用する構成と比較して、より優れたＲＦ性能とより優れた音声性能とを同時に得ることができる。
【００２３】
この実施形態２は、ヘッドセット２Ｂおよび回路構造１３Ｂ両方のために、Ｌ−ＣＨ線用接点を利用および接続する代わりに、ヘッドセットの音声右チャンネル（Ｒ−ＣＨ）線またはマイクロホン線の接点を、テレビ放送信号および音声放送信号を提供するために無線周波数接点として機能するように利用して実施することもできる。
〈実施形態３〉
図４は、図３Ａに図示するヘッドセットをある実施形態により別の回路構造を備える携帯機器の音声プラグに差し込んでいる状態を図示するブロック図を示す。図３Ａと比較すると、ヘッドセット２Ｂは同じであるが、回路構造１３Ｃは異なる回路構成を有する。回路構造１３Ｃでは、ラジオチューナ１３１およびデジタルテレビチューナ１３３は、スイッチデバイス（例、ＳＰＤＴスイッチなどのＲＦスイッチ）を介して、Ｌ−ＣＨ信号パスに連結されている。チューナとＬ−ＣＨ信号パスとの間のパスに、破線の方形で示されている整合回路が必要である。
〈実施形態４〉
図５Ａは、別のヘッドセットを図３Ａに図示する携帯機器の音声プラグに差し込んでいる状態を図示するブロック図を示す。図３Ａと比較すると、回路構造１３Ｃは同じであるが、ヘッドセット２Ｃは異なるアンテナ構成を有する。
【００２４】
図５Ａでは、ヘッドセット２Ｃはヘッドセットケーブル２５Ｃと音声プラグ２３Ｃとを含む。ヘッドセットケーブル２５ＣのＬ−ＣＨ線（またはマイクロホン線もしくはＲ−ＣＨ線）をラジオアンテナとして利用する。ヘッドセットケーブル２５Ｃはさらに、デジタル放送受信用に、例えば、ＰＣＢまたはフレックスＰＣＢに配設されている外部メアンダアンテナによって実施されているアンテナ２５１Ｃと、デジタルテレビアンテナ２５１Ｃに連結されている同軸ケーブル２５３Ｃなどの伝送線とを含む。図５Ａの線Ａ２−Ａ２に沿って切断したヘッドセットケーブル２５Ｃの断面図である図５Ｂを参照すると、ヘッドセットケーブル２５Ｃ内に配設されている同軸ケーブル２５３Ｃがヘッドセットケーブル２５ＣのＧＮＤ線、音声線およびＭＩＣ線とは分離している状態を図示している。加えて、ＧＮＤ線、音声線およびＭＩＣ線は同軸ケーブル２５３Ｃの長さより長くてもよい。
【００２５】
例えば、電気素子２３１Ｃ、例えばコンデンサが、整合のために同軸ケーブル２５３ＣとＬ−ＣＨ線との間に連結されていてもよい。電気素子２３１Ｃは図５Ａに図示する音声プラグ２３Ｃ内または音声プラグ２３Ｃの外部に配設してもよい。この構造では、アンテナ２５１Ｃは十分な空間をもち、ＧＮＤとは離れたキープアウト領域を有するので、同軸ケーブル２５３Ｃはアンテナ２５１ＣからＬ−ＣＨ線までのテレビ信号（例、ワンセグ）に非常に低い損失および優れた遮蔽を提供する。したがって、ＲＦを阻止するためにＧＮＤパスにＲＦチョークを使用する必要がない。このように、図３Ａと同様に、ＧＮＤ信号パスはチョークを備えていない。ＧＮＤ信号パスを使用する構成と比べ、より優れたＲＦ性能およびより優れた音声性能を同時に得ることができる。
図５Ａのアンテナ２５１Ｃはプラスチックボックス２５５Ｃで被覆して、同軸ケーブル２５３ＣでＬ−ＣＨ線に接続してもよい。
〈その他の実施形態〉
図３〜図５のそれぞれの実施形態は、ヘッドセットおよび回路構造両方について、Ｌ−ＣＨ線を利用して接続していたが、その代わりに、テレビ放送信号および音声放送信号を提供するために、ヘッドセットの音声右チャンネル（Ｒ−ＣＨ）線またはマイクロホン線用接点を無線周波数接点として機能するように利用して実施することもできる。
【００２６】
図２および図５Ａのそれぞれのヘッドセットおよび回路構造両方について、ラジオアンテナにＬ−ＣＨ線およびＲ−ＣＨ線の両方を利用し、テレビアンテナをＬ−ＣＨ線およびＲ−ＣＨ線のうちの１本に接続して実施することもできる。この場合、ラジオチューナ１３１は回路構造１３Ａまたは１３ＢのＬ−ＣＨ信号パスおよびＲ−ＣＨ信号パスの両方に連結する。
【００２７】
図６は、ある実施形態に係る携帯機器の回路構造を示す。この回路構造は、接地端子と、マイクロホン線および少なくとも１本の音声線用の複数の信号端子、例えばノードＮ１，Ｎ２およびＮ３とを有する音声ジャック１１を含む。信号端子の１つ（例、音声チャンネルのノードＮ３）はさらに、テレビ放送信号および音声放送信号用の無線周波数端子としても機能する。この回路構造は、チョークＣＫ２，ＣＫ３およびＣＫ４などの複数の誘導デバイスも含む。回路構造はさらに音声処理ユニット６１０と、ラジオチューナ１３１と、デジタルテレビチューナ１３３とを含む。音声処理ユニット６１０は、チョークＣＫ２，ＣＫ３およびＣＫ４などの誘導デバイスを介して、音声ジャック１１の端子に連結されている。ラジオチューナ１３１は、音声放送信号を受信するために、無線周波数端子（例、ノードＮ３）に連結されている。デジタルテレビチューナ１３３は、テレビ放送信号を受信するために、無線周波数端子（例、ノードＮ３）に連結されている。
【００２８】
他の実施形態では、この回路構造はアナログ回路６４０も含んでいてもよい。デジタルテレビチューナおよびラジオチューナは、アナログ回路６４０を介して無線周波数端子に連結されている。また、アナログ回路６４０は、ラジオチューナ１３１に音声放送信号を受信できるようにするためのフィルタ（例、図２のフィルタ１３５）を含んでいてもよい。アナログ回路６４０はさらに、デジタルテレビチューナ１３３用のインピーダンス整合回路（例、図２，図３Ａ，図４または図５Ａの１３７，１３７Ｂ，１３７Ｃ）を含んでいてもよい。アナログ回路６４０は、無線周波数端子、デジタル放送チューナ１３３およびラジオチューナ１３１に連結されている無線周波数スイッチ（例、図４のＳＷ）を備えていてもよい。アナログ回路６４０は他の回路機器、例えば、コンデンサなど、図３Ａ，図４または図５ＡのＤＣ阻止デバイス１３６を含むこともできる。
【００２９】
上記例示した回路構造の実施例により、携帯機器を実現できる。携帯機器はさらに処理ユニット（例、シングルコアプロセッサもしくはマルチコアプロセッサ、またはシステムオンチップ）６００と、ディスプレイユニット６２０（例、液晶ディスプレイ、有機発光ディスプレイなど）を含む。処理ユニット６００は、テレビ表示の要求に応答して、デジタルテレビチューナ１３３が、例えば命令または論理信号を送信することによって、ディスプレイユニット６２０にテレビを表示するようにテレビ放送信号を受信できるようにする。テレビ表示の要求は、例えば、ディスプレイユニット６２０によって表示されるユーザインターフェースから、または携帯機器の物理的もしくは仮想スイッチもしくはボタンから発せられてもよい。
【００３０】
無線周波数端子、デジタルテレビチューナおよびラジオチューナに連結されている無線周波数スイッチを含むアナログ回路６４０を備える携帯機器の別の実施形態では、処理ユニット６００は、テレビ表示の要求に応答して、さらに無線周波数スイッチがディスプレイユニット６２０にテレビを表示するようにデジタルテレビチューナ１３３にテレビ放送信号を出力できるようにしてもよい。
【００３１】
図６に図示する携帯機器について、例えば、上記実施形態に例示したヘッドセットを携帯機器の音声ジャック１１に差し込むと、ヘッドセットの無線周波数接点（例、ヘッドセットの右チャンネル線の接点）が携帯機器の無線周波数端子（例、右チャンネルパスのノードＮ３）に連結されて、携帯機器の回路構造にテレビ放送信号および音声放送信号を提供する。すなわち、携帯機器の回路構造は、ヘッドセットをテレビ放送信号受信用アンテナおよび音声放送信号受信用アンテナにすることができる。このように、テレビアンテナを携帯機器の本体に埋め込む必要がないので、携帯機器の回路設計を簡素化できる。
【００３２】
さらに、携帯機器は、携帯機器の機能の必要に応じて他のコンポーネントまたはユニットを含むことができる。いくつかの実施形態では、携帯機器は、例えば、２Ｇ，３Ｇ，４Ｇ，ＷｉＦｉもしくはＧＰＳなどのいくつかの無線通信もしくはネットワーク通信をサポートするスマートフォンまたはタブレットおよび通信ユニット６３０として実現できる。
図１は単なる例証のためであることに留意されたい。上記実施形態によると、シングルイヤホンまたはダブルイヤホンなど、様々な種類のヘッドセットが実施されてもよい。ヘッドセットはマイクロホンを備えていてもまたは備えていなくてもよい。マイクロホンを備えるヘッドセットの場合、マイクロホンは外部に備えていてもまたは内部に備えていてもよい。ヘッドセットはオーバーヘッド型ヘッドセット、バックアーム型ヘッドセット、耳掛け型ヘッドセット、またはコンバーチブル型ヘッドセットであってもよい。他の実施例では、ヘッドセットにヘッドセットコントローラも含んでいてもよく、１もしくは複数のボタンまたは他の制御機器および／またはマイクロホンを備えていてもよい。例えば、テレビ表示もしくはチャンネル設定をイネーブルまたはディセーブルするための制御機器をヘッドセットに含んでもよい。
【００３３】
上に開示された実施形態に様々な変更および変型を行えることは当業者には明らかであろう。本明細書における実施例は単なる例示的なものと考えられることを意図している。開示の真の特許請求の範囲は、以下の請求項およびその等価物によって示される。
【図１】
0005675738.tif 000002
【図２】
0005675738.tif 000003
【図３Ａ】
0005675738.tif 000004
【図３Ｂ】
0005675738.tif 000005
【図４】
0005675738.tif 000006
【図５Ａ】
0005675738.tif 000007
【図５Ｂ】
0005675738.tif 000008
【図６】
0005675738.tif 000009